(57)【要約】      （修正有）【課題】罠にかかった害獣を安全に、かつ後の食肉利用がしやすいように失神または死亡させる害獣撃退器を提供する。【解決手段】害獣撃退器１００は、使用者が把持可能であって所定長さ以上の長さを有する支持棒１と、支持棒１の先端に設けられる電極部３と、電極部３への電力の供給の切り替えを実行する操作部４と、を備え、電極部３は、害獣へ高圧電流を付与する。これにより、罠にかかった動物の反撃により操作者が怪我する危険なく、その後の動物の処分が容易となる。【選択図】図１
0003178051.tif 000002
【実用新案登録請求の範囲】
【請求項１】
使用者が把持可能であって所定長さ以上の長さを有する支持棒と、
前記支持棒の先端に設けられる電極部と、
前記電極部への電力の供給の切り替えを実行する操作部と、を備え、
前記電極部は、害獣へ高圧電流を付与する害獣撃退器。
【請求項２】
前記電極部は、相互に放電可能に対向する第１電極と第２電極を有する、請求項１記載の害獣撃退器。
【請求項３】
前記支持棒の所定長さは、１ｍ以上３ｍ以下である、請求項１又は２記載の害獣撃退器。
【請求項４】
前記第１電極および前記第２電極に、接続される電源からの電流を導電する導電路を更に有する、請求項１から３のいずれか記載の害獣撃退器。
【請求項５】
前記導電路は、前記支持棒の内部もしくは外部に装着される、請求項４記載の害獣撃退器。
【請求項６】
前記支持棒は、金属、合金および樹脂の少なくとも一つの素材で形成されると共に内部に空洞部分を有する、請求項１から５のいずれか記載の害獣撃退器。
【請求項７】
前記支持棒は、伸縮、折り畳みおよび継ぎ足しの少なくとも一つの手段で、長さを変化可能である、請求項１から６のいずれか記載の害獣撃退器。
【請求項８】
前記支持棒において、使用者が把持する把持部分が絶縁処理されている、請求項１から７のいずれか記載の害獣撃退器。
【請求項９】
前記操作部は、前記第１電極および第２電極に供給する電圧値を調整できる、請求項１から８のいずれか記載の害獣撃退器。
【考案の詳細な説明】
【技術分野】
【０００１】
本考案は、罠に掛かった害獣（いのしし、鹿、カモシカであり、害が無くとも様々な動物を含む）を失神もしくは死亡させる害獣撃退器に関する。
【背景技術】
【０００２】
近年日本では農作物を荒らす動物の被害が多くなっており、その被害を防止するために従前より猟銃を使用したり、罠をしかけたり等の方法により動物の駆除が行われている。
【０００３】
しかしながら、猟銃を所持するには銃刀法に基づき、医師の診断書等の資料を添付した猟銃所持の申請を行う必要がある。申請後も猟銃の管理義務がある上、一定期間毎の技能講習を受ける必要がある等、猟銃の取り扱いは一般人が気軽に行えることではない。
【０００４】
また、猟銃を使用する際には銃弾が予想外の方向に流れたり、暴発したりする等の不測の事故が発生する危険がある。
【０００５】
さらに、猟銃で動物を殺処分すると体内に銃弾が残り、後に食肉利用することが困難となる。
【０００６】
そこで、罠をしかけて動物を捕獲することがよく行われている。しかし罠にかかった動物は怪我をしていることはあっても、失神したり死亡したりしていることはなく人間が近づくと暴れだすので、猟銃を持たない一般人が対応するのは危険である。そのため、罠にかかった動物の処分方法が問題となる。
【０００７】
罠にかかっている動物の反撃を避けつつ処分するために猟銃を使用することも行われているが、前記のように、銃刀法の問題や、不測の事故の可能性、後の食肉利用の困難さの課題は残る。
【０００８】
一方で、近年は捕獲した野生のいのしし、鹿等を食材として利用する一定の需要がある。捕獲した動物を地域の資源と考え、地域おこしとしてレストラン等での利用に取り組んでいる自治体もある。
このような食肉利用をするためには、捕獲した動物を死亡させるか、または完全に失神させて屠殺場に運ぶ必要がある。
【０００９】
暴れる動物の動作を止めるために麻酔銃を使うことも考えられるが、麻酔銃は費用も高く、その所持にも許可申請が必要であり、猟銃と同様にその保管等の管理に難点がある。
【００１０】
このような状況において、様々な動物の処分技術が提供されている（例えば、特許文献１、２参照）。
【先行技術文献】
【特許文献】
【００１１】
【特許文献１】特開２００４−７３１１１号公報
【特許文献２】特開２００４−１４７５４４号公報
【考案の概要】
【考案が解決しようとする課題】
【００１２】
特許文献１は、導電性液体を水鉄砲で動物に向けて噴射し、噴射液体に電圧を印加することで、ある程度離れた位置から動物に電撃を与え撃退する技術を開示する。
【００１３】
しかしながら、特許文献１に開示される電撃装置は、液体の噴射に伴い動物の周囲が水浸しになり、地面がぬかるんで後の動物の処理の際に支障になるという問題を有している。さらに液体が動物に当たった際に液体が飛び散ると、操作者が感電する危険もある。
【００１４】
特許文献２は、一般人でも確実な槍の突き出し動作を可能とし、槍の柄長を短くして携帯性を高めることができる、動物撃退等のための槍用突出機能に関する技術を開示する。
【００１５】
しかしながら、特許文献２に開示される技術は、罠にかかった動物の後の食肉利用に関する問題を完全には解決できていない。槍で動物を刺すと、刺した部分の肉の組織に穴があいて痛むからである。
【００１６】
また、痴漢撃退用として電撃を与えるスタンガンが販売されている。しかしながら、電撃を与える際はターゲットに直接接触させなければならず、暴れる動物からの反撃を避けながら使用するのは困難である。
【００１７】
そこで、本考案は、述上のような従来存していた諸事情に鑑み創出されたもので、罠にかかった動物を安全に、かつ後の食肉利用がしやすいように失神または死亡させる手段を提供することを目的とする。
【課題を解決するための手段】
【００１８】
上記問題を解決するために、本考案の害獣撃退器は、使用者が把持可能であって所定長さ以上の長さを有する支持棒と、支持棒の先端に設けられる電極部と、電極部への電力の供給の切り替えを実行する操作部と、を備え、電極部は、動物へ高圧電流を付与する。
【考案の効果】
【００１９】
本考案の害獣撃退器は、罠にかかった動物の反撃により操作者が怪我をする危険なく、動物を失神または死亡させることができ、その後の処分が容易となる効果がある。
【００２０】
さらに、電撃ショックにより動物を失神または死亡させると、動物の体に銃弾が残ったり傷を付けることがないので、食肉利用もしやすいという効果もある。
【図面の簡単な説明】
【００２１】
【図１】本考案の実施の形態における斜視図である。
【図２】本考案の実施の形態における電極部とその周辺の拡大図である。
【図３】本考案の実施の形態における害獣撃退器と電源とを接続した状態を示す斜視図である。
【図４】本考案の実施の形態における操作部の拡大図である。
【考案を実施するための形態】
【００２２】
本考案の第１の考案に係る害獣撃退器は、使用者が把持可能であって所定長さ以上の長さを有する支持棒と、支持棒の先端に設けられる電極部と、電極部への電力の供給の切り替えを実行する操作部と、を備え、電極部は害獣へ高圧電流を付与する。
【００２３】
この構成により、操作者が罠にかかった害獣からの反撃を受けずに済む程度の距離を保ちつつ電極を害獣に接触させ電撃を与えることができる。加えて、高圧電流を付与することで、罠に掛かった害獣を気絶させたり、死亡させたりできる。
【００２４】
本考案の第２の考案に係る害獣撃退器は、電極部として、相互に放電可能に対向する第１電極と第２電極を有する。
【００２５】
この構成により、害獣に対して支持棒の突き出し動作を行う際、２つの電極先端部が同時に害獣に接触するため、突き出し動作を安定して行うことができる。
【００２６】
本考案の第３の考案に係る害獣撃退器は、支持棒が１ｍ以上３ｍ以下の長さを有する。
【００２７】
この構成のように支持棒の長さが１ｍ以上あれば、支持棒先端の電極取付部から操作者が支持棒を把持する位置までの距離を確保し、罠にかかった害獣の反撃を避けつつ電撃を与えることが可能となる。支持棒の長さは長いほど害獣との距離を確保できるが、一方で、支持棒が長すぎると持ち運びに不便である。害獣撃退器の持ち運びには車を使用することが予想されるため、車内に積み込める長さにする必要がある。一般的な乗用車の車内長は長くても３ｍ程度であることから、支持棒の長さは３ｍ以下とするのがよい。
【００２８】
本考案の第４の考案に係る害獣撃退器は、第１電極および第２電極に、接続される電源からの電流を導電する導電路を更に有する。
【００２９】
この構成により、駆除器本体と電源を分離することができ、それにより害獣撃退器本体を軽量化でき、突き出し動作が容易となる。また、導電路が確保されることで、別途設置された電源との電気的接続が確保され、使用に不慣れな使用者であっても、害獣撃退器を、容易に使用できる。
【００３０】
本考案の第５の考案に係る害獣撃退器は、導電路が支持棒の内部もしくは外部に装着される。
【００３１】
この構成のように、必要に応じて誘電路を支持棒の内部に装着することにより、支持棒の突き出し動作の際に誘電路が絡んだりして、動作の支障となることを防止できる。
【００３２】
本考案の第６の考案に係る害獣撃退器は、支持棒が、金属、合金および樹脂の少なくとも一つの素材で形成されると共に内部に空洞部分を有する。
【００３３】
この構成にある素材で支持棒を形成することにより、突き出し動作の際に容易にたわんだり曲がったりしないよう十分な強度を得ることができる。また、この構成のように支持棒内部に空洞部分を設けて中空材とすることにより、操作者が持ちやすい太さと軽量化を両立させることができる。
【００３４】
本考案の第７の考案に係る害獣撃退器では、支持棒は、伸縮、折り畳みおよび継ぎ足しの少なくとも一つの手段で、長さを変化可能としている。
【００３５】
この構成により、使用しないときは支持棒を短くして収納することができ、本害獣撃退器の携帯性を高めることができる。
【００３６】
本考案の第８の考案に係る害獣撃退器は、支持棒において、使用者が把持する把持部分が絶縁処理されている。
【００３７】
この構成により、電源から供給される電力により使用者が感電する事故を防止することができる。
【００３８】
本考案の第９の考案に係る害獣撃退器は、第１電極および第２電極に供給する電圧値を調整できる。
【００３９】
この構成により、ターゲットとなる害獣の種類や大きさにあわせて電撃ショックの大きさを調整したり、失神させるか死亡させるかを、目的に応じて調整できる。
【００４０】
以下、図１から図４を用いて、本考案の実施の形態について説明する。
【００４１】
（実施の形態）
【００４２】
実施の形態について説明する。
【００４３】
（全体概要）
まず、本考案の害獣撃退器の全体概要を説明する。
【００４４】
図１は本考案の実施の形態における害獣撃退器全体の斜視図である。図１に示されるように、害獣撃退器１００は、支持棒１、電極部３、操作部４を備えている。支持棒１は、所定の長さを有する棒状あるいは竿状の部材であって、使用者が、害獣撃退器１００を使用する際に把持される部材である。また、所定の長さを有しているのは、罠（かご形状の罠であったり、動物の一部を噛みこむ罠であったり様々である）に掛かっている害獣へ、高圧電流を付与する作業を容易とできるからである。支持棒１は、害獣撃退器１００の外形を形成する。
【００４５】
支持棒１の先端には、電極部３が設けられる。なお、先端としているが、物理的に厳密な先端でなければならないわけではなく、使用上の先端といえればよい。電極部３は、電力の供給を受けて高圧電流を発生させる。操作部４は、この電極部３への電力供給の切り替えを実行する。
【００４６】
すなわち、使用者は、指示棒１を把持して、操作部４を操作して、電極部３で高圧電流を発生させる。この高圧電流を、罠に掛かっている害獣へ押し当てて、電流による生理的ショックで、害獣を失神もしくは死亡させる。
【００４７】
（動作手順）
図１では、害獣撃退器１００のより詳細な構造が示されている。図３と合わせて、害獣撃退器１００の動作手順を説明する。図３は、本考案の実施の形態における害獣撃退器と電源とを接続した状態を示す斜視図である。
【００４８】
本明細書において、害獣とは、動物、鳥類などであって、山野や耕作地などにおいて、住民や作業者（農業者）にとって被害をもたらしたり、もたらしたりする可能性のある動物である。一般的には、鹿、カモシカ、いのしし、猿、大型鳥類、アライグマ、狸、狐、いたち、テン、アナグマなどの動物が、害獣として把握される。もちろん、害獣撃退器１００が使用される場合とは、害獣として駆除することが法律や規則において認められている場合である。
【００４９】
また、使用者の安全性を考慮して、罠に掛かっている害獣を、失神させたり死亡させたりして撃退する場合に、害獣撃退器１００が用いられる。もちろん、罠に掛かっていない害獣を撃退する際に使用しても問題ない。
【００５０】
支持棒１は、図１に示されるように、所定の長さを有している。手前側が、使用者によって把持される側であり、先端側が、害獣に押し当てられる側である。
【００５１】
支持棒１の一端に電極取付部２が設けられ、電極取付部２には一対である第１電極３１と第２電極３２が取り付けられている。第１電極３１と第２電極３２が、セットとなって電極部３となる。もちろん、電極部３は、電極取付部２を含む概念でもよい。電極部３が、第１電極３１と第２電極３２の一対のセットを有することで、プラス電極とマイナス電極（もしくは、高圧電極と接地電極）の組み合わせを有することができる。この組み合わせによって、電極部３は、第１電極３１と第２電極３２との間に高圧電流を流すことができる。言い換えれば、第１電極３１と第２電極３２との間に、高圧電流が放電される。
【００５２】
害獣撃退器１００の別体として、電源７が設けられる。電源７には、自動車用のバッテリー、屋外作業用のバッテリー、大型蓄電池などの様々なバッテリーが使用されれば良い。電源７が、電力源となる。
【００５３】
第１電極３１と第２電極３２には電源７からの電力の供給を受けるための導電路５が接続されている。図１、図３などでは、導電路５の例として、リード線が示されている。この導電路５が、電源７からの電力を、第１電極３１、第２電極３２に供給する。なお、図１、図３では、リード線のように柔軟性のある導電路５が、支持棒１の外側に設けられているが、支持棒１内部に設けられてもよいし、位置のみが支持棒１外部に設けられてもよい。また、導電路５は、プラス電極となる第１電極３１に接続するものと、マイナス電極（もしくは接地電極）となる第２電極３２に接続するものとがある。一方のみは、指示棒１の外側に設けられ、他方が支持棒１の内部に設けられる構造であってもよい。
【００５４】
操作部４は、支持棒１の一部に設けられている。支持棒１は、使用者によっては辞され、操作部４は、使用者が、電力供給のＯＮ／ＯＦＦを操作するのに用いられる。このため、操作部４は、使用者の把持する部分に設けられることが適当である。例えば、操作部４は、支持棒１の手前側から５０ｃｍ〜１ｍくらいの範囲に設けられればよい。
【００５５】
操作部４は、第１電極３１および第２電極３２への電力供給のＯＮ／ＯＦＦを切り替えるスイッチを設けている。このスイッチ操作によって、電源７からの電力が、第１電極３１および第２電極３２に供給される。
【００５６】
使用者は、支持棒１を把持すると共に、一方の手で支持棒１の操作部４近傍を把持する。また、把持しながら、操作部４を操作する。例えば、上述のスイッチをＯＮすれば、第１電極３１および第２電極３２に電力が供給される。また、使用者は、指示棒１を把持した状態で、その先端（先端には、電極部３が備わる）を、罠に掛かっている害獣に押し当てる。
【００５７】
電力供給がＯＮの状態であれば、第１電極３１と第２電極３２との間には、高圧電流が流れている（放電されている）。先端が押し当てられた害獣には、この高圧電流が付与されることになる。電流や電圧の設定によるが、第１電極３１と第２電極３２との間を放電される高圧電流の付与によって、失神したり死亡したりする。
【００５８】
ここで、電極３１に接続された導電路５の他端は給電端子６を介して電源７のマイナス端子へ接続される。電極３２に接続された導電路５は、操作部４に設けられたスイッチを介して給電端子６へと接続される。さらに電源７のプラス端子へ接続される。このように電気回路を構成することにより、電極に印加する電力が、操作部４で（スイッチの操作で）、制御される。
【００５９】
電源７の電力供給量は、変更可能であることが多いので、操作部４の操作によって、供給される高圧電流の値も変化する。例えば、害獣がいのししなどの大型かつ強靭な動物である場合には、操作部４で操作されて電極部３に供給される電力は大きいことが好ましい。一方、害獣が小型鳥類やいたちなどの小型動物である場合には、操作部４で操作されて電極部３に供給される電力は小さくても構わない。
【００６０】
このように、害獣の種類に応じて、付与される高圧電流が変化される。
【００６１】
使用者は、所定の長さを有する支持棒１の把持と操作によって、害獣へ高圧電流を付与できる。このため、使用者にとっては安全に、害獣への高圧電流の付与を実現できる。また、高圧電流によって、害獣を失神させたり死亡させたりできるので、害獣を余分に傷つけることもないので、人道的な処理が可能となる。もちろん、銃弾や散弾が打ち込まれることもないので、食肉として使用される場合の不具合も生じない。
【００６２】
近年は、農業従事者などにとっては害獣として把握されるこれらの動物であるが、ジビエ料理などとしての地産地消に役立つものとしての把握も始まっている。このような場合にも、人道的かつ食肉利用への悪影響の少ない本考案の害獣撃退器１００は、好適に利用できる。
【００６３】
次に各部の詳細について説明する。
【００６４】
（支持棒）
支持棒１の長さは前述のように、害獣との距離を確保するために１ｍ以上あることが望ましく、また本害獣撃退器の持ち運びに一般的な乗用車を使用することを考慮すると３ｍ以内とするのがよい。この範囲内においても、害獣に相対しての突き出し動作の際の取り回しを考慮すると、支持棒１の長さは２ｍ程度が好適である。
【００６５】
支持棒１は、使用者が安定して把持できる程度の太さが必要である。人の手の大きさ及び握り方はほぼ決まっており、それを考慮すると、直径は３ｃｍから６ｃｍ程度が好適である。もちろん、この長さや直径の範囲を超えるものが、本考案の本質を阻害することはない。この長さや直径の範囲を超えたとしても、本考案の範囲に含まれることは言うまでも無い。
【００６６】
支持棒１は使用者が両手で把持し、害獣に対して突き出し動作をすることから高い強度と同時に軽量であることが必要である。そのため内部を空洞にしたパイプ状の棒にするのが望ましい。材質としてはアルミニウムなどの軽量の金属やその合金、または硬質の樹脂などを用いることができる。もちろん、金属、合金および樹脂の少なくとも一つの素材だけで形成されてもよいし、２以上の素材の組み合わせで形成されても良い。
【００６７】
害獣撃退器１００は高電圧電流を用いるものであるので、使用者の感電事故防止には配慮が必要である。そのために例えば、使用者が把持する把持部分または支持棒１の全体に絶縁性のある塗装をしたり、絶縁材を支持棒１に巻きつけて固定したりする等の絶縁処理がなされていることが好適である。例えば、把持部分においては、ゴム製のコーティングがされているなどが好適である。
【００６８】
害獣撃退器１００の持ち運びの便を良くするため、支持棒１をコンパクトに収納するための機構を組み込むこともできる。例えば、折り畳み傘の軸のような伸縮機構をもたせたり、連結部を介して折り畳むことができるように構成したり、また、釣竿のように複数の棒を嵌め合わせつつ継ぎ足すことで一本の支持棒１を形成する構成としてもよい。
【００６９】
（電極部）
図２は、本考案の実施の形態における電極部とその周辺の拡大図である。図２は、支持棒１の先端に取り付けられる電極部３が、取り外された状態を示している。電極部３は、第１電極３１と第２電極３２を備えることが使い勝手のよい構成であるが、第１電極３１と第２電極３２には、高圧電流が付与されることで、劣化が生じる。
【００７０】
このため、電極部３は、交換が可能なように、図２に示されるように取り外せることが好適である。
【００７１】
（電極取付部）
電極部３は、第１電極３１と第２電極３２とを取り付ける電極取付部２を有している。
【００７２】
電極取付部２はパイプ状の２本の棒でＴ字型に構成され、Ｔ字の横棒に相当する部分に一対の第１電極３１第２電極３２が並行に取り付けられる。電極取付部２は、支持棒１と同じ素材で形成されても良いし、別部材で形成されても良い。但し、電圧が掛かることを踏まえて、支持棒１が樹脂で形成される場合でも、電極取付部２は、樹脂だけでなく金属や合金を含んだより耐久性の高い素材で形成されることも好適である。
【００７３】
電極取付部２が備わることで、電極部３は、第１電極３１と第２電極３２との一対の電極棒を備えやすくなる。
【００７４】
電極取付部２と支持棒１の取り付けは、使用中に外れないよう十分な強度を確保する必要がある。そのために、例えば、ねじを切ってねじ込み式にしたり、挿入した上で支持棒１と電極取付部２の重なり部分にボルト孔をあけてボルト・ナットにより締め付け固定する等の手段を用いることができる。また、取り付けの際、図２に示すようにリード線を電極取付部２と支持棒１の内部に装着する構成とすることができる。
【００７５】
また第１電極３１もしくは第２電極３２の一端に接続される導電路５は、中空になっている電極取付部２の内部を経由して支持棒１の内部へと引きこまれればよい。支持棒１の内部に引き込まれた上で、操作部４に接続される。
【００７６】
（第１電極および第２電極）
電極取付部２の両端付近のそれぞれに、第１電極３１と第２電極３２が設けられる。第１電極３１、第２電極３２は使用者の感電事故を防止するために碍子３５等の絶縁材を介して電極取付部に固定される。
【００７７】
第１電極３１および第２電極３２は、相互間で高圧電流の放電を実現することが求められるので、一定の長さと鋭利な先端を有していることが好ましい。このような形状であることで、第１電極３１と第２電極３２との間に、高圧電流が放電されるようになる。害獣は、この放電されている高圧電流によって、失神したり死亡したりする。
【００７８】
第１電極３１、第２電極３２は、高圧電流を与えるために害獣に接触させる部分である。害獣に接触する電極先端から放電するよう電極は略円錐形をしており、先端に行くほど電極の直径が小さくなるように形成される。電極の他端はネジ止め等の手段により導電路５の一端が接続されている。第１電極３１と第２電極３２とは、相互に放電する高圧電流を、害獣に付与してもよいし、第１電極３１もしくは第２電極３２の先端を害獣に接触させてもよい。
【００７９】
あるいは、第１電極３１および第２電極３２の少なくとも一方が、害獣の皮膚に到達したり皮膚に突き刺さったりすることで、害獣の体内に高圧電流が付与されることでもよい。この場合には、より確実に害獣に電気ショックを与えることができ、失神させたり死亡させたりすることができる。
【００８０】
このような動作に対応しやすいために、第１電極３１および第２電極３２のそれぞれは、２ｃｍ程度が電極取付部２から突出していることが好適である。一方、第１電極３１と第２電極３２とが長すぎると取り扱いがしにくくなると同時に不注意による感電の危険もあるため、電極取付部２からの突出部分は５ｃｍから１０ｃｍ程度までであることもよい。もちろん、これらは目安であるので、これから外れる程度であってもよい。
【００８１】
第１電極３１、第２電極３２の材質としては、電極材として一般的に使われている銅、鉄、タングステン等を主な材料に含むものを始め、カーボン等様々なものを用いることができる。
【００８２】
また、第１電極３１と第２電極３２との一対の電極が設けられず、一つの電極だけが設けられてもよい。この場合には、単一の電極が高圧電圧となっており、支持棒１に接地が繋がっていることで、害獣に高圧電流を付与することができる。この場合でも、害獣は、電気ショックによって失神したり死亡したりする。
【００８３】
（操作部）
操作部４は、支持棒１の略中央部に付設され、図４に示すように電源と電極との間の電気回路の接続（オン）・切断（オフ）を行うスイッチ４１を設けている。図４は、本考案の実施の形態における操作部の拡大図である。
【００８４】
スイッチ４１は一般的なトグル式になっており、一度押すとオン状態になり電気回路が接続されて電極に電圧が印加される。再び押すとオフ状態になり電気回路は切断され、以降この動作を繰り返す。
【００８５】
スイッチ４１はトグル式に限定されず、様々な形式のものを用いることができる。例えば、ボタンを押している間だけオン状態になり、ボタンから手を離すと自動的にオフ状態になるスイッチを用いることもできる。また、ボタンスイッチの代わりにスライドスイッチやロータリースイッチ等を用いることもできる。さらにこれらのスイッチに電圧値の調整を行う機能を付加することもできる。
【００８６】
また、図４に示されるように、操作部４には、パイロットランプ４２が設けられてもよい。パイロットランプ４２は、スイッチ４１がＯＮ状態となっていることを示す。パイロットランプ４２が発光している状態では、電極部３に電流が流れている状態を示す。このパイロットランプ４２に発光によって、使用者は、高圧電流が発生していることを把握でき、安全性が高まる。
【００８７】
また、スイッチ４１は、第１電極３１、第２電極３２に供給される電力値を調整できることも好適である。例えば、スイッチ４１が、複数の調整ボタンを有していたり、ロータリーボタンによる電力値調整部分を、スイッチ４１と合わせて備えていたりすることで、電力値が制御されてもよい。
【００８８】
電力値が制御されれば、撃退対象の害獣の状態に合わせつつ、付与する高圧電流の値を変化させることができる。
【００８９】
以上、実施の形態で説明された害獣撃退器は、本考案の趣旨を説明する一例であり、本考案の趣旨を逸脱しない範囲での変形や改造を含む。
【符号の説明】
【００９０】
１    支持棒
２    電極取付部
３    電極部
３１    第１電極
３２    第２電極
４    操作部
４１    スイッチ  
５    導電路
６    給電端子
７    電源
【図１】
0003178051.tif 000003
【図２】
0003178051.tif 000004
【図３】
0003178051.tif 000005
【図４】
0003178051.tif 000006